(57)【要約】【課題】レーザー墨出し機によるレーザー光の方向設定調整において、レーザー墨出し器設置位置が目標位置付近でなくとも、目標位置を明確に視準できる様、レーザー墨出し器側から一人で設定調整が可能である事を課題とする。【解決手段】素材はレーザー光の鮮明に反射するプレート本体と、レーザー光を明確に吸収するレーザー光目的位置ラインによって構成された本体を目標位置に自立して据える。本体側面の自立支持部は折りたたみ式のＴ字形状をしている。【選択図】図３
0003129228.tif 000002
【実用新案登録請求の範囲】
【請求項１】
図３に於ける、好ましくは７ａ・７ｂ・７ｃの３層構造からなる本体の、表面がアルミ材の平板状本体７ａの端に、本体７ａと同じ丈の、好ましくは底面に当たる側に適度な角度をつけた本体側面自立支持部３を、好ましくは蝶番▲８▼を介し接合した一体からなり、接合部をＴ字状とした際、地盤面上にて自立可能な形状をなし、好ましくは本体前面７ａの欠き込み７０〜７２の位置で、その奥の中間層７ｂの位置に、▲１２▼を支点として吊り下げられた状態のプレート▲１１▼を設置し、好ましくは▲１１▼の中心に自立した際、縦となる直線的な形状の方向角目的位置ライン▲１０▼を配し、好ましくは欠き込み７１・７２を中心とした両脇に、好ましくは反射テープによって構成された好ましくは楔形状の視準方向レーザー反射ライン２１〜２４を、好ましくは一対に配した基本形状をなし、好ましくは５１・５２部は本体７ａの最下部５０と本体側面凹凸地盤面対応自立支持部３０を結んだ線より凹んだ形状をなし、本体７ａの裏面に於いて、好ましくは光学式測量器対応面の本体７ｃとして、好ましくは端を細く、中央を太くした固定式方向角目的位置ライン▲６▼ををその中央付近に配し、好ましくは直線面４０に於いて目盛り４１・４２を配し、好ましくは本体表面７３部は白色、好ましくは７４部は反射テープを表面とした形状をしており、蝶番▲８▼により折りたたむ事が出来る事を特徴とする。
【考案の詳細な説明】
【技術分野】
【０００１】建築工事などの中でレーザー墨出し器を使用する際の道具に関するものである。
【背景技術】
【０００２】レーザー墨出し器の方向角設定作業は、機械側調整者と目標位置側指示者の２人の人員を必要としていた。
【考案の開示】
【考案が解決しようとする課題】
【０００３】レーザー光の方向設定調整を２人で行うことは、軽微な内容であるにも拘らず経済的負担及び時間的拘束が大きい。レーザー墨出し器設置位置が目標位置付近でなくとも、目標位置を明確に視準できる様にする事により、レーザー墨出し器側から１人で設定調整を可能となり前途の欠点の解決をしようとするものである。
【課題を解決するための手段】
【０００４】本考案は離れた場所からでも正確に目標位置を捉える事ができるターゲットプレート本体を目標位置に設置することにより、問題を解決しようとするもので、本体を目標位置に自立して据える。本体側面の自立支持部は折りたたみ式のＴ字形状をしている。
【考案の効果】
【０００５】縦直線の反射ラインを目的位置と合わせて据え、レーザー光を鮮明に反射する本体に、レーザー光の多くを吸収する目的位置ラインを配する事で、レーザー光の位置を正確に目標位置に設定できる。また目的位置ラインの左右に、楔形状の視準方向レーザー反射ラインを配置する事によりレーザー光の位置をより明確に把握する事ができる。これらによって一人で機械側からレーザー方向を迅速かつ正確に目標と合わせる調整が可能である。
【考案を実施するための最良の形態】
【０００６】素材はレーザー光の鮮明に反射するアルミ表面のプレートを本体とし、レーザー光を強く吸収する目的位置を配する基本的形状をしている。下げ振り式目的位置プレートは頂点に配した１点の支点から吊り下げられた状態になっており、本体が傾いている場合に於いても基本的にラインは鉛直になる。本体を自立して据えられるように折りたたみ式のＴ字形状の側面を配している。【０００７】底面側は両端部を少し削った形状とすることで、目的位置付近に凹凸がある場合に於いても、目的位置とラインが接地する形状をしている。上面側は平らな面に対応して直線の形状としてある。【０００８】裏面に光学式の測量機器に対応した、黒いラインと目盛りを配している。黒いラインは両端を細く、中央を太いラインとしており、細いラインは近距離用、太いラインは遠距離に対応している。【０００９】光学式面は本体表面を白色としており、片側に暗い場所に於いて光量不足に対応する反射テープを配している。これにより暗い場所でも目的位置をよりはっきりと視準する事が出来る。
【実施例】○レーザー面において本体全体がにレーザー光を鮮明に反射する。
○本体▲７▼は自立するので、他の道具を用意する事なく目的位置に設置することが出来る。
○レーザー対応面に於いて、目的位置ラインを下げ振り式とする事で、本体が傾いていても殆どの場合目的位置ラインは鉛直に据える事が出来る。
○目的位置レーザー光反射ラインの両脇に、視準方向レーザー光反射ラインを配置する事で、レーザー光方向の現在位置の把握がし易い。
○レーザー対応面に於いて、本体目的位置下部の両側を書き込む事で、目的位置地盤面周辺に凸凹があっても、重要となる目的位置ライン下部と目的位置地盤面とを接地し易くしている。
○上記により、一人でレーザー墨出し器の方向角セットを、精度を確保した上で省労力かつ短時間で可能としている。
○Ｔ字型の自立支持部に蝶番を設け折り曲げ式としている事で、嵩張らず持ち運びに便利である。
○裏面を光学式測量器対応としている。
○光学式対応面に於いて、定規を設ける事で用途が多様である。
○光学式対応面に於いて、上下の片側を白色、一方を反射テープとする事で、状況の明度に合わせて使い分けが出来る。
○光学式対応面に於いて、定規を設ける事で用途が多様である。
【産業上の利用可能性】レーザー墨出し器また光学式測量機器を使用する作業に於いて、軽量コンパクトの本体は機器ケース内にも収まるため持ち運び易く、施工作業時、時間の短縮とコスト削減、更に精度の向上が可能である。
【図面の簡単な説明】
【００１０】
【図１】・・・レーザー光対応面  表正面図
【図２】・・・光学式対応  裏正面図
【図３】・・・レーザー光対応面及び光学式対応面  立体姿図
【符号の説明】
【００１１】    １０            下げ振り式方向角目的位置ライン
１１            下げ振り式目的位置プレート
１２            ▲１１▼用  支持部
２１・２２・２３・２４  視準方向レーザー反射ライン
３              本体側面自立支持部
３０            本体側面凹凸地盤面対応自立支持部
４０            定規式本体底面
４１・４２      定規式目盛り
５０            凹凸対応支点部
５１・５２      凹凸対応欠き込み部
６              固定式方向角目的位置ライン
７ａ            レーザー対応面本体
７ｂ            本体中間層
７ｃ            光学式測量機器対応面本体
７０・７１・７２  本体７ａ面  ▲１１▼用欠き込み部
８              蝶番
【図１】
0003129228.tif 000003
【図２】
0003129228.tif 000004
【図３】
0003129228.tif 000005
【手続補正書】
【提出日】平成18年8月21日(2006.8.21)
【手続補正１】
【補正対象書類名】実用新案登録請求の範囲
【補正対象項目名】全文
【補正方法】変更
【補正の内容】
【実用新案登録請求の範囲】
【請求項１】
好ましくは厚さ０．７ｍｍ程度の板を用い、長さ１３ｃｍ程度高さ５ｃｍ程度の表側及び裏側の本体２枚で、全体の中央付近に６ｃｍほどの空間を設けた中間層を挟み込む、３層に重ね合わせた構造からなる本体と、好ましくはその端に、本体と同じ丈で長さ４ｃｍ程度の板を蝶番を介して接続する事で、上から見た際Ｔ字にした時、本体が地盤面に自立する事を基本の形状とし、表側はレーザー光に対応する事を目的として、本体全体をアルミ材質の表面によって構成し、その本体を正面から見た際、中央付近の位置に２ｃｍ程度の隙間を設けておき、その隙間の裏側で中間層の空間部分に、好ましくは厚さ０．５ｍｍ程度、巾４ｃｍ程度でアルミ材質表面の板によって構成された下げ振り式目的位置プレートに方向角目的位置ラインを印し、本体上部から吊り下げる状態で可動式に配置する事で、地盤面に本体を自立した際、本体自体の傾斜に関係なく、方向角目的位置ラインが構造上許容の角度までは、常に鉛直に地盤面の目的位置を表示する事を大きな特徴としており、好ましくは方向角目的位置ライン両側の本体底面は、適度に窪ませておく事で、地盤面の目的位置と本体の方向角目的位置ライン付近とが優先して接地するように、また、地盤面の凹凸に本体自体がなるべく影響を受けない本体形状をしており、方向角目的位置プレートの両側に、反射テープによって構成された好ましくは楔形状の、視準方向レーザー反射ラインを一対に配することで、レーザーの現在位置を素早く見つける事が出来るようにしてある等を特徴とした本体表側と、裏側は、光学式測量器に対応する事を目的として、好ましくは本体全体を白色表面で構成し、本体中央位置付近に、本体上面に対し直角の方向角目的位置ラインを印し、好ましくは本体上面側に目盛りを配する事を特徴とした本体裏側で、持ち運ぶ際は、蝶番により折りたたむ事が出来る為、薄型かつコンパクトで収納性に優れ形状をなす、目的位置付近の状況に左右される事なく的確かつ明確に目的位置を表示する事が出来る視準点指示器である。
【手続補正書】
【提出日】平成18年11月9日(2006.11.9)
【手続補正１】
【補正対象書類名】実用新案登録請求の範囲
【補正対象項目名】全文
【補正方法】変更
【補正の内容】
【実用新案登録請求の範囲】
【請求項１】
使用する色々の測量機器や状況に対応しつつ地盤面の目的位置が離れた場所からでも的確に解るように本体に引かれた垂直な線分によって目的位置を表示する事を目的とした物で、板をＴ字型に接合する事で地盤面に自立する全体の基本形状となっており、目的位置を表示するラインを引いた目的位置プレートを本体の中央付近の上方から吊り下げる構造で可動式に配置する事で、常に垂直なラインで目的位置を表示することが出来るアルミ素材の本体レーザー対応面と、白地表面に目的位置ラインと目盛りを配した光学式対応の本体裏面、その本体にＴ字に接合される白色半透明材質の板に目的位置ラインを引いた光量不足環境対応の本体支持部によって構成しており、本体と本体支持部は可動式の蝶番によって結合され、目的位置プレート下端と本体支持部以外の本体下部は窪ませる事で、あらゆる状況においても目的位置を高い精度で表示する視準点指示器である。